(57)【要約】【課題】光ピックアップ装置に関し、装置の小型化を図ることができ、かつ、ファイントラッキングを可能にすることを目的とする。【解決手段】固定光学部１から照射されるレーザ光を、ポジショナ２上に搭載され、ミラー３と磁石４とが貼着されたねじり回転軸５周りに回転可能なミラー固定部６をポジショナ２側の駆動用コイル７により回転駆動する偏向ミラー装置８により偏向して対物レンズ９に導くように構成する。【選択図】　図２
2004095084.tif 000002
【特許請求の範囲】
【請求項１】
固定光学部から照射されるレーザ光を、ポジショナ上に搭載され、ミラーと磁石とが貼着されたねじり回転軸周りに回転可能なミラー固定部をポジショナ側の駆動用コイルにより回転駆動する偏向ミラー装置により偏向して対物レンズに導く光ピックアップ装置。
【請求項２】
薄板バネ体の中央部に浮島状に形成され、周縁部との肉繋ぎ部をねじり回転軸として回転可能で、表裏にミラーと磁石とが貼着されたミラー固定部と、
磁石の周縁に配置され、該磁石にねじり回転軸周りの回転力を付与する駆動用コイルとを備える偏向ミラー装置。
【請求項３】
前記駆動用コイルは、前記薄板バネ体に貼着されるベースプレートに固定され、
かつ、前記ミラーとミラー固定部との間には板体からなるミラーベースプレートが介装される請求項２記載の偏向ミラー装置。
【請求項４】
前記ベースプレートとミラーベースプレートには、ねじり回転軸に正面視において重合する切欠が形成されるとともに、
切欠内に柔軟材からなるダンパ剤が注入される請求項３記載の偏向ミラー装置。
【請求項５】
前記ミラーベースプレートとミラー固定部にはミラー側から照射される紫外線の通過穴が開設されるとともに、前記磁石、ミラー固定部、およびミラーベースプレートは、前記紫外線通過穴内に充填された紫外線硬化樹脂を介して接合される請求項３または４記載の偏向ミラー装置。
【発明の詳細な説明】
【０００１】
【発明の属する技術分野】
本発明は光ピックアップ装置に関するものである。
【０００２】
【従来の技術】
ファイントラッキングが可能な光ピックアップ装置としては、従来、固定光学部から照射されるレーザ光を、装置筐体側に保持されるガルバノミラーにより偏向してポジショナの対物レンズを介して光磁気ディスクに導くように構成されたものが知られている（特許文献１参照）。この従来例において、ポジショナ上には、フォーカス部が配置され、ビームのフォーカッシングサーボはこのフォーカス部において、ファイントラッキングは、ガルバノミラーを回転駆動して行われる。
【０００３】
【特許文献１】
特開平６−３０９７２８号公報
【０００４】
【発明が解決しようとする課題】
しかし、ガルバノミラーが装置筐体側に配置される従来例においては、ガルバノミラーと対物レンズの距離が大きくなるために、ガルバノミラーでの振り角が小さくても、偏向光の対物レンズへの入射点は、レンズ中心から大きくずれることとなるために、収差が大きくなってしまう上に、装置の小型化も図れないという問題がある。
【０００５】
本発明は、以上の欠点を解消すべくなされたものであって、装置の小型化を図ることができ、かつ、ファイントラッキングが可能な光ピックアップ装置の提供を目的とする。
【０００６】
また、本発明の他の目的は、上記光ピックアップ装置に有用な偏向ミラー装置の提供にある。
【０００７】
【課題を解決するための手段】
図１に示すように、光ピックアップ装置は、ポジショナ２上に偏向ミラー装置８を搭載して構成される。偏向ミラー装置８を対物レンズ９が搭載されるポジショナ２上に搭載することにより、対物レンズ９と偏向ミラー３との間隔を接近させることができ、トラッキング時における収差の拡大が防止できる。
【０００８】
また、偏向ミラー装置８は、ミラー３と磁石４とが貼着されたねじり回転軸５周りに回転可能なミラー固定部６をポジショナ２側の駆動用コイル７により回転駆動するように構成され、構造が簡単なために、小型化、軽量化が容易である。この結果、ポジショナ２上に搭載しても、ポジショナ２の大型化の原因とならないために、装置の小型化をすることが可能になる。
【０００９】
【発明の実施の形態】
図１に光磁気ディスクドライブ装置の光ピックアップ装置を示す。光ピックアップ装置は、スピンドル１３により回転駆動される磁気ディスク１４にレーザ光を照射する光源が収容された固定光学部１と、スピンドル１３に対して離接方向に並進駆動されるポジショナ２とを有する。
【００１０】
図１（ｂ）に示すように、ポジショナ２には、対物レンズ９と偏向ミラー装置８とが搭載される。偏向ミラー３は、図において軸５周りに回転駆動されてレーザ光の対物レンズ９への入射角度を微調整し、磁気ディスク１４上へのレーザスポット照射位置を調整する（トラッキング）。
【００１１】
図２に光ピックアップ装置に使用される偏向ミラー装置８を示す。偏向ミラー装置８は、薄板バネにより形成されるスプリングプレート（薄板バネ体１０）を有し、該スプリングプレート１０の片面には、薄板材により矩形枠形状に形成されるベースプレート１１が貼り付けられて補強される。
【００１２】
スプリングプレート１０には、コ字状の肉抜き部１０ａを対向配置することにより中央部のみが周縁部とつなげられた浮島状のミラー固定部６が形成される。このミラー固定部６の周縁部との一対の肉繋ぎ部は、ミラー固定部６の縦方向中心線に沿って配置され、該肉繋ぎ部がねじり変形することによりミラー固定部６は肉繋ぎを結ぶ線分周りに回転変位することができる。
【００１３】
上記ミラー固定部６の表裏には、ミラー３と磁石４が貼り付けられ、さらに、ベースプレート１１にはミラー固定部６上に固定される磁石４を包囲するように、駆動用コイル７が貼り付けられる。ミラー３は、図２（ｃ）において上下方向、正確には、肉繋ぎ部により形成されるねじり回転軸５に直交する方向にＮＳ極がくるように配向させられる。また、ミラー３と磁石４とは、重心がねじり回転軸５の中心に位置するように調整され、不要共振の発生が防止される。
【００１４】
したがってこの実施の形態において、ポジショナ２上に搭載した偏向ミラー装置８の駆動用コイル７を励磁すると、駆動用コイル７と磁石４により形成される磁気回路の作用により磁石４、すなわち、ミラー固定部６には、図２（ａ）において矢印で示すように、ねじり回転軸５周りのトルクが発生し、ミラー３は所定角度傾斜方向に回転する。この結果、固定光学部１から照射されたレーザ光の対物レンズ９への入射角度が微調整されて磁気ディスク１４上への集焦位置が調整される。このとき、対物レンズ９とミラー３とは同一のポジショナ２上に搭載されているために、接近しており、対物レンズ９の収差拡大を招かない。
【００１５】
また、ベースプレート１１、およびスプリングプレート１０はプレス等で加工できるために、樹脂モールド部品等により製造する場合に比して、安価である。さらに、偏向ミラー装置８の厚みは、ミラー３、磁石４、およびスプリングプレート１０とベースプレート１１の板厚の総和となり、非常に薄く形成することが可能な上に、軽量化も可能であるために、ポジショナ２の大型化、あるいは重量化を招かない。
【００１６】
なお、図２においてベースプレート１１は駆動用コイル７側に固定されているが、ミラー３側に固定することも可能である。また、ミラー３とミラー固定部６との間にミラーベースプレート１２を介装すると、剛性を高めることができる上に、ミラー３が肉繋ぎ部におけるねじれ変形の影響を受けにくくなるために、動作信頼性が向上する。
【００１７】
この場合、図３に示すように、ベースプレート１１には中央部開口１１ｂを外側に広げるように、ミラーベースプレート１２には幅方向寸法を狭める切欠１１ａ、１２ａを肉繋ぎ部が露出するように形成すると、必要な肉繋ぎ部の長さ、すなわち、ねじり回転軸５の有効長を確保しつつ全体を小型化することができる。なお、本変形例、および後述する他の変形例の説明において、上述した実施の形態と同一の構成要素は、図中に同一符号を付して説明を省略する。
【００１８】
さらに、切欠１１ａ、１２ａにゲル状のダンパ剤を注入することにより、ねじり回転軸５に粘性をもたせることができ、共振による制御の不安定を防止できる。
【００１９】
図４に本発明の第２の実施の形態を示す。この実施の形態は組立の容易な偏向ミラー装置８を示すもので、ミラーベースプレート１２とミラー固定部６の中央部には、紫外線通過穴１２ｂ、６ａが開設される。偏向ミラー装置８の組立は、まず、ベースプレート１１とスプリングプレート１０を接合した後、ミラー固定部６に磁石４、ミラーベースプレート１２を重ね合わせ、この後、紫外線通過穴６ａ、１２ｂ内に紫外線硬化樹脂を充填し、さらに、ミラーベースプレート１２のミラー３側表面前面に紫外線硬化樹脂を塗布する。次いで、ミラーベースプレート１２にミラー３を重ねた後、ミラー３側から紫外線を照射する。ミラー３の光反射膜は紫外線を透過するために、照射紫外線はミラーベースプレート１２表面、および紫外線通過穴６ａ、１２ｂ内の紫外線硬化樹脂を硬化させ、これらが接合される。この後、ベースプレート１１に駆動用コイル７を接合させると偏向ミラー装置８の組立が完了する。
【００２０】
この場合、図５に示すように、ミラーベースプレート１２の紫外線通過穴１２ｂをミラー固定部６のものより大きく形成すると、すべての部品が広い面積で接着剤に接するために、接合強度がより向上する。
【００２１】
【発明の効果】
以上の説明から明らかなように、本発明によれば、装置の小型化を図ることができ、かつ、トラッキング操作に伴う収差の拡大を防止することができる。
【図面の簡単な説明】
【図１】本発明を示す図で、（ａ）は全体斜視図、（ｂ）は側面図である。
【図２】偏向ミラー装置を示す図で、（ａ）はミラー側からみた斜視図、（ｂ）は磁石側からみた斜視図、（ｃ）は分解斜視図である。
【図３】図２の変形例を示す図で、（ａ）はミラー側からみた斜視図、（ｂ）は磁石側からみた斜視図、（ｃ）は分解斜視図である。
【図４】本発明の第２の実施の形態を示す分解斜視図である。
【図５】図４の変形例を示す分解斜視図である。
【符号の説明】
１　　　　固定光学部
２　　　　ポジショナ
３　　　　ミラー
４　　　　磁石
５　　　　ねじり回転軸
６　　　　ミラー固定部
６ａ　　　紫外線通過穴
７　　　　駆動用コイル
８　　　　偏向ミラー装置
９　　　　対物レンズ
１０　　　薄板バネ体
１１　　　ベースプレート
１１ａ　　切欠
１２　　　ミラーベースプレート
１２ａ　　切欠
１２ｂ　　紫外線通過穴
【図１】
2004095084.tif 000003
【図２】
2004095084.tif 000004
【図３】
2004095084.tif 000005
【図４】
2004095084.tif 000006
【図５】
2004095084.tif 000007